(57)【要約】      （修正有）【課題】吊下するベルトの帯革を見た目よく展示することができると共に、帯革の表面を傷めずに保持することができるベルトハンガーを提供する。【解決手段】ベルトハンガー１は、所定の大きさの金属製の板体である基部１１であり、表面１１１に、ベルトの帯革Ｂ１２を挿通可能なアーチ状で、接続構造部を有する保持部１２、及び、保持部１２の反対方向に配置された係止ピン部１３が設けられ、裏面１１２に表示１１３が設けられたハンガー本体１０と、棒体であり、所定長さの軸部１４１と、その先部に形成された鉤曲状の鉤部１４２を有し、軸部１４１基端面にネジ孔が形成されたフック体１４とを備える。ハンガー本体１０とフック体１４は、接続構造部を介して接続され、フック体１４が軸部１４１の軸周方向に回転可能に設けられている。【選択図】図１
0003219587.tif 000002
【実用新案登録請求の範囲】
【請求項１】
板状の基部、該基部の表面側にアーチ状に設けられ、同基部表面と共に環状に構成されて、その内側にベルトの帯革を挿通できる保持部、および、前記基部の表面側に突設され、前記帯革に形成されたベルト孔に挿通して係止可能な係止ピン部、を有するハンガー本体と、
所定長さの軸部の先部に鈎部が形成され、該軸部が前記ハンガー本体に取り付けられたフック体とを備える
ベルトハンガー。
【請求項２】
前記フック体が、前記保持部に取り付けられている
請求項１に記載のベルトハンガー。
【請求項３】
前記フック体と前記保持部の取り付け箇所に、同フック体の前記軸部を軸周方向に回転可能に接続する接続構造部が設けられている
請求項２に記載のベルトハンガー。
【請求項４】
前記接続構造部が、前記フック体の軸部側の基端面に形成されたネジ孔、前記保持部の幅方向略中央に、同保持部の幅方向と直交し、かつ、基部と平行な方向に貫通する、前記フック体の軸部の基端近傍が挿入可能な内径に形成された貫通孔、および、ネジ孔に螺着する所定長さの固定ネジ、により構成され、前記貫通孔に前記フック体の軸部基端側を嵌挿し、前記固定ネジが、同フック体の挿入方向と反対方向から、同フック体が回転できるように螺着された構造である
請求項３に記載のベルトハンガー。
【請求項５】
前記基部の裏面側に、文字、図形、記号若しくは色彩のいずれか、または、これらの中から選択された二以上を組み合わせてなる表示が表示されている
請求項１、請求項２または請求項３に記載のベルトハンガー。
【考案の詳細な説明】
【技術分野】
【０００１】
本考案は、ベルトハンガーに関する。更に詳しくは、吊下するベルトの帯革を見た目よく展示することができると共に、帯革の表面を傷めずに保持することができる、ベルトハンガーに関する。
【背景技術】
【０００２】
従来、衣料用のベルトは、バックルと帯革（以下、主に「帯革」という）を一体として販売するものであったところ、本願考案者は、複数種類のバックルと複数種類の帯革を準備し、購買者が好みのバックルと好みの帯革を購入し組み合わせることで自分好みのベルトにする、あるいは、帯革のみを購入して所有するベルトの帯革と交換する、という、新たな業態を開始している。
【０００３】
ところで、従来、店舗等において、販売するベルトを展示あるいは陳列する器具としては、例えば、下記特許文献１または下記特許文献２に記載されたようなベルトハンガーが提案されている。これらのベルトハンガーの構成を図６に示している。
【０００４】
下記特許文献１に記載されたベルトＢ２のベルトハンガー９Ａは、複数の突起９１と、突起９１の間に形成された開放通路９２を有する構成であり、帯革Ｂ２２の剣先を下にして開放通路９２を通して帯革Ｂ２２を垂らし、突起９１によりバックルＢ２１を引っ掛ける態様で使用するものである。
【０００５】
また、下記特許文献２に記載されたベルトハンガー９Ｂは、押え板９３と、押え板９３の両側にある各側板９４を有し、各側板９４には、押え板９３の方向へ斜めに下り傾斜したガイド穴９５が形成されると共に、各ガイド穴９５間に押えコロ９６が架設されている。ベルトハンガー９Ｂは、この押えコロ９６と押え板９３によって、ベルトＢ２の帯革Ｂ２２の剣先近傍を挟んで保持する態様で使用するものである。
【先行技術文献】
【特許文献】
【０００６】
【特許文献１】実公昭５６−１６４７３４号公報
【０００７】
【特許文献２】実用新案登録第３１６３５１８号公報
【考案の概要】
【考案が解決しようとする課題】
【０００８】
しかしながら、図６（ａ）〜（ｃ）に示すベルトハンガー９Ａは、バックルＢ２１と帯革Ｂ２２からなる従来型のベルトＢ２に使用するもので、剣先を下にして帯革Ｂ２２を垂らし、各突起Ｂ２１によりバックルＢ２１を引っ掛ける態様であり、本願考案者のようにバックルを除いた帯革のみを展示する態様には向いていないものである。
【０００９】
また、図６（ｄ）に示すベルトハンガー９Ｂは、帯革Ｂ２２を挟んで保持する態様であるため、押えコロ９６が当接する部分に沿って、帯革Ｂ２２が凹んで痕になったり、傷がついたりすることがあり、商品を毀損するおそれがある。
【００１０】
本考案は、以上の点を鑑みて創案されたものであり、吊下するベルトの帯革を見た目よく展示することができると共に、帯革の表面を傷めずに保持することができる、ベルトハンガーを提供することを目的とするものである。
【課題を解決するための手段】
【００１１】
上記の目的を達成するために、本考案のベルトハンガーは、板状の基部、基部の表面側にアーチ状に設けられ、基部表面と共に環状に構成されて、その内側にベルトの帯革を挿通できる保持部、および、基部の表面側に突設され、帯革に形成されたベルト孔に挿通して係止可能な係止ピン部、を有するハンガー本体と、所定長さの軸部の先部に鈎部が形成され、軸部がハンガー本体に取り付けられたフック体とを備える。
【００１２】
ここで、本考案のベルトハンガーは、ハンガー本体が前述の構成の基部を有することにより、吊下する帯革を表面に沿わせ、見た目よく保持することができると共に、前述の保持部、係止ピン部、およびフック体を設ける基部とすることができる。また、本考案のベルトハンガーは、ハンガー本体が前述の構成のフック体を備えることにより、鉤部をラックハンガー等の被掛止体に掛けることができる。
【００１３】
そして、本考案のベルトハンガーは、ハンガー本体が前述の構成の保持部を有することにより、基部の表面と、そこから立設した保持部によって環状になり、表面と保持部で形成された環状部分の内側に、吊下する帯革を挿通することができる。また、挿通される帯革の剣先部分が外側（例えば、基部の反対の方向）等に曲がって垂れないように支え、見た目よく保持することができる。
【００１４】
更に、本考案のベルトハンガーは、ハンガー本体が前述の構成の係止ピン部を有することにより、帯革のベルト孔に係止ピン部を挿通し係止することで、帯革をベルトハンガーの表面側に吊下することができる。なお、例えば、ベルトハンガーが帯革を挟んで保持するような構造であれば、挟持部分において帯革に筋状の傷や凹みが生じるおそれがあるが、本考案のベルトハンガーによれば、係止構造に起因する帯革の傷や凹みが生じる可能性を極めて低くすることができる。
【００１５】
このように、本考案のベルトハンガーによれば、前述の構成を備えることにより、吊下する帯革を見た目よく展示することができると共に、帯革の表面を傷めずに保持することができる。
【００１６】
また、フック体が、保持部に取り付けられている場合は、帯革の剣先部分を保持部に挿通させると共に、例えば、保持部の長手方向中央近傍にフック体を取り付けた場合で、係止ピン部をベルト孔に挿通して係止した状態において、吊下された帯革が鉛直方向に真っ直ぐ垂れるような重量バランスにすることができるので、更に見た目よく保持することができる。
【００１７】
また、フック体と保持部の取り付け箇所に、フック体の軸部を軸周方向に回転可能に接続する接続構造部が設けられている場合は、接続構造部を介してフック体とハンガー本体とを捻るように動かすことができる。
【００１８】
これにより、例えば、ラックハンガーに掛けられた帯革を吊下した複数のベルトハンガーについて、隣り合うものを、一方の帯革の裏面と他方の帯革の表面が相対向するように並べておくことで、陳列時は場所を取らないようにし、帯革をよく観察したい時は、フック体をラックハンガーに掛けたままの状態でハンガー本体を捻るだけで、帯革の表裏いずれかの面を看者の方に向けることができるため、使い勝手が良い。
【００１９】
また、接続構造部が、フック体の軸部側の基端面に形成されたネジ孔、保持部の幅方向略中央に、保持部の幅方向と直交し、かつ、基部と平行な方向に貫通する、フック体の軸部の基端近傍が挿入可能な内径に形成された貫通孔、および、ネジ孔に螺着する所定長さの固定ネジ、により構成され、貫通孔にフック体の軸部基端側を嵌挿し、固定ネジが、フック体の挿入方向と反対方向から、フック体が回転できるように螺着された構造である場合は、ハンガー本体とフック体とに分解することで、輸送時や保管時等に嵩張らないようにすることができる。また、簡単な構造であるため、然程の習熟度を要さずとも、分解組み立ての作業が容易である。
【００２０】
また、基部の裏面側に、文字、図形、記号若しくは色彩のいずれか、または、これらの中から選択された二以上を組み合わせてなる表示が表示されている場合は、ベルトハンガーの装飾性を高めることができる。この表示としては、例えば、ブランドや販売店の名称やロゴマーク等が挙げられる。
【考案の効果】
【００２１】
本考案に係るベルトハンガーによれば、吊下する帯革を見た目よく展示することができると共に、帯革の表面を傷めずに保持することができる。
【図面の簡単な説明】
【００２２】
【図１】本考案に係るベルトハンガーの第１実施形態であって、取り付けられるベルトを想像線で示しており、（ａ）は基部表面側から見た斜視説明図、（ｂ）は基部裏面側から見た斜視説明図である。
【図２】図１に示すベルトハンガーの接続構造部を示しており、（ａ）は接続構造部の分解斜視説明図、（ｂ）は（ａ）に示す接続構造部の断面視説明図である。
【図３】図１に示すベルトハンガーの使用状態説明図である。
【図４】本考案に係るベルトハンガーの変形例１−３であって、（ａ）は変形例１を基部表面側から見た斜視図、（ｂ）は変形例２を基部表面側から見た斜視図、（ｃ）は変形例３を基部表面側から見た模式図である。
【図５】本考案に係るベルトハンガーの他の変形例であって、（ａ）は変形例４を基部表面側から見た斜視図、（ｂ）は変形例５を基部表面側から見た斜視図である。
【図６】特許文献１及び２記載のベルトハンガーであり、（ａ）は特許文献１のベルトハンガーの要部を拡大した斜視図、（ｂ）は特許文献１のベルトハンガーの使用状態説明図、（ｃ）は特許文献１のベルトハンガーの正面図、（ｄ）は特許文献２のベルトハンガーの使用状態説明図である。
【考案を実施するための形態】
【００２３】
図１〜図５を参照して、本考案の実施の形態を更に詳細に説明する。なお、以下の説明は、最初に〔第１実施形態〕について説明し、続いて〔変形例１〕−〔変形例５〕の順序により行う。また、図面各図における符号は、煩雑さを軽減し理解を容易にする範囲内で付しており、同一符号が付される複数の同等物についてはその一部にのみ符号を付す場合がある。
【００２４】
〔第１実施形態〕
本考案のベルトハンガー１は、基部１１、基部１１に設けられた保持部１２および係止ピン部１３を有するハンガー本体１０と、ハンガー本体１０の保持部１２に回転可能に取り付けられたフック体１４を備える（図１、図２参照）。各部については、以下で詳述する。
【００２５】
基部１１は、所定の大きさの金属製の板体である。そして、基部１１は、表面１１１に保持部１２と係止ピン部１３が設けられ（図１（ａ）参照）、裏面１１２に表示１１３（本実施形態では、図形による紋様）が設けられている（図１（ｂ）参照）。
【００２６】
本実施形態においては、基部１１は、平面視長方形で、全面にメッキが施されたステンレススチール製であり、長手方向（図１で高さ方向）が約５５ｍｍ、短手方向（図１で幅方向）が約４０ｍｍ、厚さが２ｍｍに設けられているが、これに限定するものではなく、前述の数値および材質は適宜変更可能である。
【００２７】
保持部１２は、図１における高さ方向上端近傍に配置され、基端が基部１１の幅方向端部に固着され、基部１１の表面方向から垂直に立設した一対の立ち上がり部分１２１と、各立ち上がり部１２１の先端に架け渡した横架部分１２２からなるアーチ状に設けられている。
【００２８】
立ち上がり部分１２１は、本実施の形態では約１０ｍｍの高さであり、内部領域（すなわち、基部１１の表面方向、各立ち上がり部分１２１および横架部分１２２で囲まれた空間）に、ベルトの帯革Ｂ１２を挿通することができる。
【００２９】
横架部分１２２の幅方向略中央に、横架部分１２２の幅方向と直交し、かつ、基部１１と平行な方向に貫通する貫通孔１２３が形成されている。貫通孔１２３は、フック体１４の軸部１４１の基端近傍を挿入可能な内径に形成されている。そして、貫通孔１２３は、孔内の貫通方向の略中間部分に、縮径部１２４が設けられている。
【００３０】
係止ピン部１３は、基部１１の表面１１１において、保持部１２の反対方向であり、図１（ａ）における高さ方向下端となる部分の幅方向中央に突設されている（図１（ａ）参照）。本実施形態において係止ピン部１３は、円錐の先端に球体が固着された形状であるが、これに限定するものではなく、例えば、真っ直ぐな棒体であってもよいし、棒体の先部が僅かに上方に曲がった鉤状のものであってもよく、ベルト孔に挿通して係止可能な形状であれば特に限定されない。
【００３１】
フック体１４は、棒体であり、所定長さの軸部１４１と、軸部１４１の先部に形成された鉤曲状の鉤部１４２を有している。軸部１４１の基端面には、ネジ孔１４３が形成されている（図２（ａ）、（ｂ）参照）。本実施形態において、フック体１４の軸部１４１は、その基端から鉤部１４２基端までの長さが約７０ｍｍに設定されているが、これに限定するものではなく、前述の数値は適宜変更可能であるが、ベルトハンガーに吊り下げた帯革の剣先が、フック体の被掛止体（例えば、ラックハンガーの横架部分、フックハンガーのフック部分等）に接触しない距離に設定されることが望ましい。
【００３２】
接続構造部１５は、フック体１４のネジ孔１４３、保持部１２の貫通孔１２３、および、ネジ孔に螺着する所定長さの固定ネジ１５１により構成され、貫通孔１２３にフック体１４の軸部基端側を嵌挿し、固定ネジ１５１が、フック体１４の挿入方向と反対方向から、フック体１４が回転できるように螺着された構造である（図２（ａ）、（ｂ）参照）。
【００３３】
また、接続構造部１５は、貫通孔１２３に嵌挿したフック体１４の軸部基端が、縮径部１２４に当たってそれ以上進入しないように止まると共に、縮径部１２４は、螺挿された固定ネジ１５１の座面と摺動可能に当接する座金様の構造である。そして、接続構造部１５は、固定ネジ１５１を締め切った状態において、縮径部１２４の表裏面（上下面）と軸部１４１の基端面、固定ネジ１５１の座面との間に若干の隙間が形成されるようになっており、フック体１４が軸部１４１の軸周方向に回転することができる。
【００３４】
（作用）
本考案のベルトハンガー１の作用について説明する。ベルトハンガー１は、帯革Ｂ１２のベルト孔に係止ピン部１３を挿通し係止することで、帯革Ｂ１２をベルトハンガーの表面１１１に沿うように吊下することができる（図１（ａ）参照））。また、本考案のベルトハンガーによれば、図６（ｄ）の従来型のベルトハンガーと異なり、係止構造に起因する帯革の傷や凹みの発生可能性を極めて低くすることができる。
【００３５】
更に、フック体１４が保持部１２に取り付けられた構成であることにより、帯革Ｂ１２の剣先部分を保持部１２に挿通させると共に、係止ピン部１３をベルト孔に挿通して係止した状態において、取り付けられた帯革Ｂ１２が鉛直方向に真っ直ぐ垂れるような重量バランスで保持することができる。また、保持部１２は、吊下する帯革Ｂ１２を保持部１２の内部領域に挿通することで、挿通される帯革Ｂ１２の剣先部分が外側（例えば、基部１１の反対方向）等に曲がって垂れないように支えることができる。
【００３６】
更にまた、ベルトハンガー１は、鉤部１４２をラックハンガーＬ等の被掛止体に掛けることで、ベルトハンガー１に吊下した帯革Ｂ１２をラックハンガーＬ等に陳列することができる（図３参照）。なお、フック体１４は、軸部１４１の長さが約７０ｍｍに設定されてことにより、図１に示すように帯革Ｂ１２を取り付けた際にも、帯革Ｂ１２の剣先がラックハンガーＬ等の被掛止体に当たって曲がることを防ぐことができる。
【００３７】
そして、接続構造部１５は、貫通孔１２３に嵌挿したフック体１４の軸部１４１基端が、縮径部１２４に当たってそれ以上進入しないように止まり、この縮径部１２４が、螺挿された固定ネジ１５１に対して座金のように作用する構造であるので、フック体１４を軸周方向に回転可能に接続することができる。そして、この接続構造部１５を介して保持部１２とフック体１４が取り付けられていることにより、フック体１４とハンガー本体１０とを捻るように動かすことができる。
【００３８】
これにより、図３の左右方向の各３つのベルトハンガー１のように、隣り合う帯革Ｂ１２を、例えば、一方の帯革Ｂ１２の裏面と他方の帯革Ｂ１２の表面が相対向するように並べておくことで、陳列時は場所を取らないようにすることができる（両方の帯革の表面同士または裏面同士が相対向する態様であってもよい）。
【００３９】
他方、帯革Ｂ１２の質感や色合いをよく観察したい時は、ハンガー本体１０を捻るだけで、フック体１４をラックハンガーＬに掛けた状態のまま、帯革Ｂ１２の表裏いずれかの面を看者の方に向けることができるため、使い勝手が良い。
【００４０】
なお、ベルトハンガー１は、接続構造部１５が前述の構造であることにより、分解組み立てが容易であるため、ハンガー本体１０とフック体１４とに分解することで、輸送時や保管時等に嵩張らないようにすることができる。また、簡単な構造であるため、組み立て時にも然程の習熟度を要さず、作業効率が良い。
【００４１】
更に、基部１１の裏面１１２側の表示１１３は、ベルトハンガー１の装飾性を高めることができる。
【００４２】
このように、ベルトハンガー１によれば、前述の構成を備えることにより、吊下する帯革Ｂ１２を見た目よく展示することができると共に、帯革Ｂ１２の表面を傷めずに保持することができる。
【００４３】
〔変形例１〕
図４（ａ）を参照して、ベルトハンガー１Ａ（変形例１）について説明する。なお、本変形例において、ベルトハンガー１Ａには接続構造部１５が設けられておらず、その他は、前述したベルトハンガー１と同様の構造であるため、共通部分の構造および作用効果の説明は省略し、図１〜２に示すベルトハンガー１と同じ符号を付している。
【００４４】
ベルトハンガー１Ａの保持部１２ａは、図４（ａ）における高さ方向上端近傍に配置され、基端が基部１１の幅方向端部に固着され、基部１１の表面方向から垂直に立設した一対の立ち上がり部分１２１と、各立ち上がり部１２１の先端に架け渡した横架部分１２２ａからなるアーチ状に設けられている。
【００４５】
立ち上がり部分１２１は、本実施の形態では約１０ｍｍの高さであり、内部領域（すなわち、基部１１の表面方向、各立ち上がり部分１２１および横架部分１２２ａで囲まれた空間）に、上記ベルトハンガー１と同様に、ベルトの帯革を挿通することができる。
【００４６】
横架部分１２２ａの幅方向略中央には、フック体１４ａの軸部１４１ａの基端近傍が固着されている。更に詳しくは、フック体１４ａは、横架部分１２２の幅方向と直交し、基部１１と平行方向かつ係止ピン部１３の反対方向へ鉤部１４ａが向く態様で固着されている。
【００４７】
（作用）
ベルトハンガー１Ａによれば、フック体１４ａとハンガー本体１０とを捻るように動かすことができないものの、フック体１４ａが保持部１２ａに取り付けられた構成であるので、帯革Ｂ１２の剣先部分を保持部１２ａに挿通させると共に、係止ピン部１３をベルト孔に挿通して係止した状態において、取り付けられた帯革Ｂ１２が鉛直方向に真っ直ぐ垂れるような重量バランスで保持し、ベルトハンガー１Ａに吊下した帯革Ｂ１２をラックハンガーＬ等に陳列することができる。
【００４８】
なお、ベルトハンガー１Ａは、接続構造部１５を有していない単純化された構造であるため、接続構造部１５の構成に要する組み立て作業が不要であり、また、製造コストを抑制することができる。
【００４９】
〔変形例２〕
図４（ｂ）を参照して、ベルトハンガー１Ｂ（変形例２）について説明する。なお、本変形例において、ベルトハンガー１Ｂには接続構造部１５が設けられていない点、フック体１４ｂが基部１１ｂに接続している点を除き、前述したベルトハンガー１と同様の構造であるため、共通部分の構造および作用効果の説明は省略し、図１〜２に示すベルトハンガー１と同じ符号を付している。
【００５０】
ベルトハンガー１Ｂの保持部１２ｂは、図４（ｂ）における高さ方向上端近傍に配置され、基端が基部１１ｂの幅方向端部に固着され、基部１１ｂの表面方向から垂直に立設した一対の立ち上がり部分１２１と、各立ち上がり部１２１の先端に架け渡した横架部分１２２ｂからなるアーチ状に設けられている。
【００５１】
立ち上がり部分１２１は、本実施の形態では約１０ｍｍの高さであり、内部領域（すなわち、基部１１の表面方向、各立ち上がり部分１２１および横架部分１２２ｂで囲まれた空間）に、上記ベルトハンガー１と同様に、ベルトの帯革を挿通することができる。
【００５２】
基部１１ｂの上端縁の幅方向略中央には、フック体１４ｂの軸部１４１ｂの基端近傍が固着されている。更に詳しくは、フック体１４ｂは、基部１１ｂの上端縁の幅方向と直交し、基部１１ｂと平行方向かつ係止ピン部１３の反対方向へ鉤部１４ｂが向く態様で固着されている。
【００５３】
（作用）
ベルトハンガー１Ｂによれば、フック体１４ｂとハンガー本体１０とを捻るように動かすことができないものの、帯革Ｂ１２の剣先部分を保持部１２ａに挿通させると共に、係止ピン部１３をベルト孔に挿通して係止した状態において、取り付けられた帯革Ｂ１２が鉛直方向に垂れるようにし、ベルトハンガー１Ｂに吊下した帯革Ｂ１２をラックハンガーＬ等に陳列することができる。
【００５４】
なお、ベルトハンガー１Ｂは、接続構造部１５を有していない単純化された構造であるため、接続構造部１５の構成に要する組み立て作業が不要であり、また、製造コストを抑制することができる。
【００５５】
〔変形例３〕
図４（ｃ）を参照して、ベルトハンガー１Ｃ（変形例３）について説明する。なお、本変形例において、前述したベルトハンガー１と同様と共通部分の構造および作用効果の説明は省略し、図１〜２に示すベルトハンガー１と同じ符号を付している。なお、本変形例は接続構造部を有しており、接続構造部１５ｃは、フック体１４ｃのエンド部１４４、および、保持部１２ｃの貫通孔１２３ｃにより構成されたものである。
【００５６】
ベルトハンガー１Ｃの保持部１２ｃは、基部１１の図４（ｃ）における高さ方向上端近傍に配置されると共に、基端が基部１１の幅方向端部に固着され、基部１１の表面方向から垂直に立設した一対の立ち上がり部分１２１と、各立ち上がり部１２１の先端に架け渡した横架部分１２２ｃからなるアーチ状に設けられている。
【００５７】
立ち上がり部分１２１は、本実施の形態では約１０ｍｍの高さであり、内部領域（すなわち、基部１１の表面方向、各立ち上がり部分１２１および横架部分１２２ｃで囲まれた空間）に、上記ベルトハンガー１と同様に、ベルトの帯革を挿通することができる。
【００５８】
横架部分１２２ｃの幅方向略中央に、横架部分１２２ｃの幅方向と直交し、かつ、基部１１と平行な方向に貫通する貫通孔１２３ｃが形成されている。貫通孔１２３ｃは、フック体１４の軸部１４１ｃよりも僅かに径大な断面形状が楕円形の孔である。なお、貫通孔１２３ｃは、フック体１４の軸部１４１ｃを挿通させた後に、貫通孔１２３ｃ内で軸部１４１ｃが軸回転可能で、かつ軸部１４１ｃの軸方向にスライド可能な程度の隙間を空けて潰したものであり、孔の短径が軸部１４１ｃより径大に設定されている。
【００５９】
フック体１４ｃは、棒体であり、所定長さの軸部１４１ｃと、軸部１４１ｃの先部に形成された鉤曲状の鉤部１４２と、軸部１４１ｃの基端部に形成され、軸部１４１ｃの太さよりも径大なエンド部１４４を有している（図３（ｃ）参照）。エンド部１４４は、貫通孔１２３ｃの孔縁に引っ掛かって抜けない大きさに設定されている。
【００６０】
（作用）
ベルトハンガー１Ｃによれば、フック体１４ｃが保持部１２ｃに取り付けられた構成であるので、帯革Ｂ１２の剣先部分を保持部１２ｃに挿通させると共に、係止ピン部１３をベルト孔に挿通して係止した状態において、取り付けられた帯革Ｂ１２が鉛直方向に真っ直ぐ垂れるような重量バランスで保持し、ベルトハンガー１Ｃに吊下した帯革Ｂ１２をラックハンガーＬ等に陳列することができる。
【００６１】
また、ベルトハンガー１Ｃは、前述の接続構造部１５ｃを介して保持部１２ｃとフック体１４ｃが取り付けられた構造であるため、フック体１４ｃが軸周方向に回転可能に接続され、これにより、フック体１４ｃとハンガー本体１０とを捻るように動かすことができ、使い勝手が良い。
【００６２】
なお、ベルトハンガー１Ｃは、接続構造部１５が、貫通孔１２３ｃ内で軸部１４１ｃの軸方向にスライド可能な構造であることにより、ベルトハンガー１Ｃの全長を伸縮させることができ、輸送時や保管時等には、嵩張らないようにフック体１４ｃを縮めることができる。
【００６３】
〔変形例４〕
図５（ａ）を参照して、ベルトハンガー１Ｄ（変形例４）について説明する。なお、本変形例において、前述したベルトハンガー１Ｂと共通する構造および作用効果の説明は省略し、図３（ｂ）に示すベルトハンガー１Ｂと同じ符号を付している。
【００６４】
ベルトハンガー１Ｄは、ベルトハンガー１Ｂの左右方向に、ベルトハンガー１Ｂの本体部１０と同じものを５〜２０ｍｍ程度の間隔を空け、上端及び下端で連設した構造のハンガー本体１０ｄを以て構成されたものである。
【００６５】
（作用）
ベルトハンガー１Ｄによれば、帯革Ｂ１２の剣先部分を保持部１２ｄに挿通させると共に、係止ピン部１３をベルト孔に挿通して係止した状態において、取り付けられた帯革Ｂ１２が鉛直方向に垂れるようにし、ベルトハンガー１Ｄに吊下した帯革Ｂ１２をラックハンガーＬ等に陳列することができる。そして、ベルトハンガー１Ｄによれば、最大３本の帯革Ｂ１２を吊下することができる。
【００６６】
〔変形例５〕
図５（ｂ）を参照して、ベルトハンガー１Ｅ（変形例５）について説明する。なお、本変形例において、前述したベルトハンガー１Ｂと共通する構造および作用効果の説明は省略し、図３（ｂ）に示すベルトハンガー１Ｂと同じ符号を付している。
【００６７】
ベルトハンガー１Ｅは、ベルトハンガー１Ｂの左右方向に、ベルトハンガー１Ｂの本体部１０と同じものを５〜２０ｍｍ程度の間隔を空け、上端及び下端で連設した構造のハンガー本体１０ｅを以て構成されたものである。フック体１４ｅは、棒体であり、所定長さの軸部１４１ｅと、軸部１４１ｅの先部に形成された鉤曲状の鉤部１４２を有しており、軸部１４１ｅの基端部が二股に形成されている。
【００６８】
（作用）
ベルトハンガー１Ｅによれば、帯革Ｂ１２の剣先部分を保持部１２ｅに挿通させると共に、係止ピン部１３をベルト孔に挿通して係止した状態において、取り付けられた帯革Ｂ１２が鉛直方向に垂れるようにし、ラックハンガーＬ等に、帯革Ｂ１２を吊下した状態のベルトハンガー１を陳列することができる。そして、ベルトハンガー１Ｅによれば、最大５本の帯革Ｂ１２を吊下することができる。
【００６９】
本明細書において、ベルトハンガー１、１Ａ〜１Ｅは、吊下する部材として帯革Ｂ１２のみを記載しているが、これに限定するものではなく、例えば、帯革とバックルからなる従来型のベルトを吊下することを除外するものではない。なお、この場合、バックルの重量で係止ピンが挿入されたベルト孔が伸びて拡がる（すなわちベルトが傷んで商品価値が低下するか、または無くなる）可能性があるため、長期間の使用はあまり好ましくない。
【００７０】
なお、本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。また、第一、第二などの言葉は、等級や重要度を意味するものではなく、一つの要素を他の要素から区別するために使用したものである。
【符号の説明】
【００７１】
１、１Ａ、１Ｂ、１Ｃ、１Ｄ、１Ｅ    ベルトハンガー
１０、１０ｄ、１０ｅ    ハンガー本体
１１、１１ｂ    基部
１１１    表面
１１２    裏面
１１３    表示
１２、１２ａ、１２ｂ、１２ｃ、１２ｄ、１２ｅ    保持部
１２１    立ち上がり部
１２２、１２２ａ、１２２ｂ、１２２ｃ    横架部分
１２３、１２３ｃ    貫通孔
１２４    縮径部
１３    係止ピン部
１４、１４ａ、１４ｂ、１４ｃ、１４ｅ    フック体
１４１、１４１ａ、１４１ｂ、１４１ｃ、１４１ｅ    軸部
１４２    鉤部
１４３    ネジ孔
１４４    エンド部
１５、１５ｃ    接続構造部
１５１    固定ネジ
Ｂ１２    帯革
Ｌ    ラックハンガー
９Ａ、９Ｂ    ベルトハンガー
９１    突起
９２    開放通路
９３    押え板
９４    側板
９５    ガイド穴
９６    押えコロ
Ｂ２    従来型のベルト
Ｂ２１    バックル
Ｂ２２    帯革
【図１】
0003219587.tif 000003
【図２】
0003219587.tif 000004
【図３】
0003219587.tif 000005
【図４】
0003219587.tif 000006
【図５】
0003219587.tif 000007
【図６】
0003219587.tif 000008